(57)【要約】【課題】エアコン用室外機を提供する。【解決手段】ユニット本体と、該ユニット本体の内部に装着された電器部品箱、ファン、圧縮機、凝縮器とを備え、上記電器部品箱は、電器ケース蓋（１）と、電器ケース（４）と、上記電器ケース（４）の内部に固定され、電器素子及び放熱器（９）が装着されるプリント基板（２）とを含み、上記電器ケース蓋（１）が上記電器ケース（４）の最上部に装着され、上記電器ケース（４）と上記ファンとの間に隔離板箱体（１２）が設置されている。【選択図】図３
2012503164.tif 000002
【特許請求の範囲】
【請求項１】
ユニット本体と、該ユニット本体の内部に装着された電器部品箱、ファン、圧縮機、凝縮器とを備え、前記電器部品箱は、電器ケース蓋と、電器ケースと、前記電器ケースの内部に固定され、電器素子及び放熱器が装着されるプリント基板とを含み、前記電器ケース蓋が前記電器ケースの最上部に装着されたエアコン用室外機であって、
前記電器ケースと前記ファンとの間に隔離板箱体が設置されることを特徴とするエアコン用室外機。
【請求項２】
請求項１に記載のエアコン用室外機において、
前記隔離板箱体は、左側が前記凝縮器に固定され、前面側がユニット本体の隔離板に固定されることを特徴とするエアコン用室外機。
【請求項３】
請求項２に記載のエアコン用室外機において、
前記隔離板箱体は、左側が前記凝縮器に係合して固定され、前面側が前記隔離板にねじによって固定される又は係合して固定されることを特徴とするエアコン用室外機。
【請求項４】
請求項１に記載のエアコン用室外機において、
前記電器ケースは、収容部を有し、
前記プリント基板の電器素子及び放熱器が装着された側は下向きで電器ケースの収容部に収容され、前記プリント基板はねじによって前記電器ケースの内部に固定され、前記電器ケース蓋は前記電器ケースの最上部にねじによって固定される又は係合して固定されることを特徴とするエアコン用室外機。
【請求項５】
請求項１に記載のエアコン用室外機において、
前記電器ケースの内部に、
前記プリント基板を支持するための支柱と、前記放熱器を支持するための支持台と、が設置されていることを特徴とするエアコン用室外機。
【請求項６】
請求項１に記載のエアコン用室外機において、
前記電器ケースの前記ファンを向いている側に、前記プリント基板を向いているエアガイド溝が設けられていることを特徴とするエアコン用室外機。
【請求項７】
請求項１〜６のいずれか一つの請求項に記載のエアコン用室外機において、
前記隔離板箱体は、金属薄板から形成されることを特徴とするエアコン用室外機。
【請求項８】
請求項７に記載のエアコン用室外機において、
前記電器部品箱体の外部に、金属薄板から形成されるコネクションパネル台が固定されていることを特徴とするエアコン用室外機。
【請求項９】
請求項１〜６のいずれか一つの請求項に記載のエアコン用室外機において、
前記電器ケース蓋は、金属薄板から形成されることを特徴とするエアコン用室外機。
【請求項１０】
請求項１〜６のいずれか一つの請求項に記載のエアコン用室外機において、
前記電器ケースが注入材から形成されることを特徴とするエアコン用室外機。
【発明の詳細な説明】
【技術分野】
【０００１】
本発明は、エアコン領域に関し、特に、エアコン用室外機に関する。
【背景技術】
【０００２】
既存技術におけるエアコン用室外機は、ユニット本体と、ユニット本体の内部に装着された電器ケースとを含み、該ユニット本体に、圧縮機、熱交換機及び熱交換機に対応し配置されたファンなどが収容され、該電器ケースに、上記圧縮機及び送風機等を駆動制御するための電器制御部品が収容される。
【０００３】
該電器ケースの内部に、整流器及びインバータのスイッチング用トランジスタを含む全ての電器制御部品が下向けに下面に装着されたプリント基板と、支持体と支持体を覆う箱体からなる部品箱体と、を含む。電器ケースの装着形態は、電器ケースにおける支持体の四周の支持辺を介してプリント基板をその上方に支持し、また箱体により該支持体を覆い、箱体と支持体によってプリント基板をその内部に備える。既存技術における上記のような電器ケースの構造及び装着形態によると、電器ケースがユニット本体の内部に設置されたファンに接近し、電器ケースの内部の素子が燃える場合、ファンも燃えやすくなるため、室外機全体が燃えてしまう場合がある。
【発明の開示】
【発明が解決しようとする課題】
【０００４】
本発明によると、電器ケースとファンが隔離され、電器ケースの内部の素子が燃える場合、ファンが燃え、さらにエアコン用室外機全体が燃えてしまうことを防げるエアコン用室外機を提供する。
【課題を解決するための手段】
【０００５】
本発明によると、ユニット本体と、該ユニット本体の内部に装着された電器部品箱、ファン、凝縮器とを備え、上記電器部品箱は、電器ケース蓋と、電器ケースと、上記電器ケースの内部に固定され、電器素子及び放熱器が装着されるプリント基板とを含み、上記電器ケース蓋は上記電器ケースの最上部に装着され、上記電器ケースと上記ファンとの間に隔離板箱体が設置されるエアコン用室外機を提供する。
【発明の効果】
【０００６】
本発明に係るエアコン用室外機によると、ファンと電器ケースとの間に隔離板箱体が設置され、隔離板箱体によりファン側の電器ケースを覆うことによって、電器ケースとファンを隔離させ、ファンを保護でき、電器ケースの内部の素子が燃える場合、ファンが燃え、エアコン用室外機全体が燃えてしまうことを防ぐことができる。
【図面の簡単な説明】
【０００７】
【図１】本発明に係るエアコン用室外機の電器部品箱を分解した構造を示す図である。
【図２】本発明に係るエアコン用室外機の電器部品箱の側面図である。
【図３】本発明に係るエアコン用室外機の斜視図である。
【図４】本発明に係るエアコン用室外機の隔離板箱体の構造を示す図である。
【発明を実施するための形態】
【０００８】
以下、図面と実施形態に合わせ、本発明を詳しく説明する。
【０００９】
（実施例１）
図１、図２に示すように、本発明に係るエアコン用室外機は、ユニット本体と、該ユニット本体の内部に装着された電器部品箱とを含み、実際の応用上、電器部品箱はねじによってユニット本体の隔離板に固定されることが可能である。該電器部品箱は、電器ケース４と、電器ケース蓋１と、電器素子及び放熱器９を装着固定するためのプリント基板２と、を備え、該プリント基板２は電器ケース４の内部に設置され、プリント基板２の電器素子及び放熱器を装着された側は下向けに設置され、他の側は電器ケースの開口方向に向き、電器ケース蓋１は電器ケース４の最上部に装着される。そして、ユニット本体の内部にファン、圧縮機、凝縮器などが設置され、上記電器素子によってファン、圧縮機、凝縮器などの動作が制御される。ファン１１と電器ケース４との間に、隔離板箱体１２が装着固定され、電器ケースが隔離板箱体１２によって囲まれ、図３、図４に示すように、具体的な実施例において、隔離板箱体１２の左側１５は、ユニット本体の凝縮器１７に固定され、隔離板箱体１２の前面側１６はユニット本体の隔離板１３に固定されることによって、隔離板箱体がファン１１側の電器ケース４を囲み、電器ケース内の火源によってファンが燃え、さらにエアコン用室外機全体が燃えてしまうことを回避することができる。該隔離板箱体１２を金属薄板から形成することによって、電器ケース４に対し火事防止の役割を果たすことが出来る。
【００１０】
このように、本発明に係るエアコン用室外機によると、ファンと電器ケースとの間に隔離板箱体を設け、隔離板箱体によって火源を隔離する役目が果たされ、エアコン用室外機が保護されることになる。
【００１１】
一つの実施例において、上記電器ケース４を注入材から形成することによって、電器部品箱のコストを低減すると共に、良好な組立て効果を実現することができる。
【００１２】
また、一つの実施例において、プリント基板の電器素子及び放熱器が装着される側を下向けにし、該プリント基板を電器ケースの中上部に固定することにより、電器ケースの内部の空間と空気の流路を形成し、電器素子及び放熱器の放熱を実現することができる。
【００１３】
また、一つの実施例において、電器ケース蓋１を金属薄板から形成することにより、電器ケース４の内部の電気素子及びプリント基板２などの耐湿、防塵、防火を実現することができる。その中、プリント基板２と放熱器９との間に放熱器とプリント基板を接続するブロック支持台１０が設けられている。
【００１４】
そして、電器ケース４の最上部は密封されず、装着する際、電器素子及び放熱器９が装着されているプリント基板２を電器ケース４の最上部から電器ケース４内に直接設置し、ねじによって電器ケース４に固定した後、電器ケース蓋１をねじ又は係合することによって電器ケース４の最上部に装着する。ここで、電器素子及び放熱器は下向きにプリント基板に設置され、プリント基板の裏面は電気ケースの開口方向を向いている。さらに、本発明に係るエアコン用室外機によると、電器素子及び放熱器が装着されたプリント基板を電器ケースの内部に直接固定し、既存技術におけるプリント基板を支持体に装着し、プリント基板を改めて置いた後箱体を装着する組立て形態に比べ、構造が簡単で、装着が便利であり、組立てが効率的であって、且つ、上記のプリント基板の電器素子及び放熱器が装着されていない側が電器ケース蓋を向いているため、電器ケース蓋を開くと直ちにプリント基板の裏面の各ピンを検知でき、便宜で速やかに行うことができる。
【００１５】
また、プリント基板２及び放熱器９をさらに安定的に支持するため、電器ケース４の内部に、プリント基板２を支持する支柱３と、放熱器９を支持する支持台７とが設置されている。
【００１６】
電器ケースの内部に設置されたプリント基板上の電器素子及び放熱器の放熱作用を高めるため、電器ケースのファンに向いている側にエアガイド溝８が設置され、該エアガイド溝８はプリント基板２に向いていて、ファンが回転する場合、ファン側と圧縮機側に気圧差が発生し、この時、一部の風が電器素子及び放熱器を通過しエアガイド溝８を介して排出され、電器ケース内の発熱素子の放熱が行われる。
【００１７】
電器ケースの内部の電気素子とユニットの内部に設置されたファン、圧縮機、熱交換器等との接続の便宜を図るため、電器ケースの外部にコネクションパネル台５を固定し、電器ケース４の下部にコネクションエリア６を設けていて、コネクションエリアにおいて、電器素子とユニット本体の内部のファン、圧縮機、熱交換器とがワイヤーによって接続され、上記コネクションパネル台５によってワイヤーが支持され、連結される。実際上実施する場合、該コネクションパネル台５をねじによってユニット本体の隔離板又は隔離板箱体１１又は電器ケース４に固定することができる。
【００１８】
（実施例２）
実施例２は、電器ケースの最上部が密封され、電器部品箱が、電器ケースと、電器素子及び放熱器を装着するためのプリント基板と、を含み、該プリント基板の電器素子及び放熱器が装着されていない側は電器ケースの内壁の最上部に固定され、プリント基板の他の側に装着された電器素子及び放熱器は下向けに設置されることによって、電器ケースにおいて空気流路が形成され、電器素子及び放熱器の放熱が行われる点で実施例１と異なっている。ここで、該実施例において、プリント基板は逆置形態で電器ケースの内部に固定されてあるが、プリント基板は正置又は縦置形態で電器ケースの内部に固定されることが可能である。
【００１９】
他の構造は実施例１と同じであるため、ここで説明を省略する。
【００２０】
総じて言えば、本発明に係るエアコン用室外機によると、ファンと電気ケースとの間に隔離板箱体を設け、隔離板箱体によって電器ケースの内部の素子を火源から隔離し、素子の火花によってエアコン用室外機全体が燃焼してしまうことを回避することができる。
【００２１】
上述した本発明の実施形態は、本発明の保護範囲を限定するものではない。本発明の精神及び原則内で行う如何なる修正、同等置換、改善などは本発明の保護範囲内に含まれる。
【図１】
2012503164.tif 000003
【図２】
2012503164.tif 000004
【図３】
2012503164.tif 000005
【図４】
2012503164.tif 000006
【国際調査報告】
2012503164.tif 000007
2012503164.tif 000008
2012503164.tif 000009
2012503164.tif 000010